(57)【要約】      （修正有）【課題】走行玩具の動きをある程度コントロールしつつも、走行玩具を意外性に富んだ動きで走行させることができる玩具セットを提供する。【解決手段】走行盤３０の盤面３０ａには突起４０が設けられ、この突起４０の上面は所定方向の傾斜面となっている。走行玩具１０の底面には、前方を突起４０と係合可能に開放した係合部が形成され、係合部は、左右のいずれかに偏って少なくとも１つ設けられている。走行玩具１０は、係合部の下端位置を前記突起４０の傾斜面の最低部よりも高くした状態で走行可能とされ、走行玩具１０が突起４０に引っ掛かると、傾斜面の低い側まで回転したのちに、突起４０の傾斜面に乗り上げ、突起４０を乗り越えて前進する。【選択図】図１
0003164962.tif 000002
【実用新案登録請求の範囲】
【請求項１】
両側に設けられた車輪で走行する走行玩具と、前記走行玩具を走行させるための走行盤と、を備え、
前記走行盤の盤面には突起が設けられ、この突起の上面は所定方向の傾斜面となっており、
前記走行玩具の底面には、前方を前記突起と係合可能に開放した係合部が形成され、
前記係合部は、左右のいずれかに偏って少なくとも１つ設けられるとともに、
前記走行玩具は、前記係合部の下端位置を前記突起の傾斜面の最低部よりも高くした状態で走行可能であることを特徴とする、走行玩具セット。
【請求項２】
前記走行玩具は左右に車輪を有する２輪走行であり、これらの車輪の回転軸は、左右で異なる偏心位置に設けられていることを特徴とする、請求項１記載の走行玩具セット。
【請求項３】
前記走行玩具は、水平状態における重心が前記車輪の回転軸よりも後方に位置するとともに、
前記突起に前記係合部が乗り上げることで重心位置が前方に移動して前方に傾動するように形成され、
前記走行玩具が前方に傾動したときの前記係合部の下端位置は、前記突起の傾斜面の最高部よりも高いことを特徴とする、請求項２記載の走行玩具セット。
【請求項４】
前記突起を、前記走行玩具の車輪の幅よりも小さい所定の間隔で複数配置することで、前記突起で囲まれた領域を形成し、かつ、これらの前記突起は、傾斜面の低い側が前記領域の外側となるように配置されていることを特徴とする、請求項１〜３のいずれかに記載の走行玩具セット。
【請求項５】
前記走行盤は、複数の走行盤構成部材を組み合わせて構成することが可能であり、
前記突起は、前記複数の走行盤構成部材に対して着脱可能であることを特徴とする、請求項１〜４のいずれかに記載の走行玩具セット。
【請求項６】
前記係合部は、前方を開放した溝部を隔壁により左右に分割したものであることを特徴とする、請求項１〜５のいずれかに記載の走行玩具セット。
【考案の詳細な説明】
【技術分野】
【０００１】
この考案は、車輪で走行する走行玩具と、前記走行玩具を走行させるための走行盤と、を備えた走行玩具セットに関するものである。
【背景技術】
【０００２】
従来、この種の玩具として、走行盤の盤面上に軌条などを設け、この軌条に沿って自走式の走行玩具を走行させて遊ぶものが知られている。
【０００３】
例えば、特許文献１には、走路盤の軌条溝で走行回路を形成し、この軌条溝に沿って自走する駆動玩具を備えた考案が開示されている。
【先行技術文献】
【特許文献】
【０００４】
【特許文献１】実開昭６１−１０３１９４号公報
【考案の概要】
【考案が解決しようとする課題】
【０００５】
しかし、上記した従来の玩具は、走行玩具が軌条などに沿って走行するものであり、動きを予測できてしまうため、意外性に欠けていた。
【０００６】
そこで、本考案は、走行玩具の動きをある程度コントロールしつつも、走行玩具を意外性に富んだ動きで走行させることができる玩具セットを提供することを課題とする。
【課題を解決するための手段】
【０００７】
本考案は、上記した課題を解決するためになされたものであり、以下を特徴とする。
【０００８】
（請求項１）
請求項１に記載の考案は、以下の点を特徴とする。
【０００９】
すなわち、請求項１に記載の玩具セットは、両側に設けられた車輪で走行する走行玩具と、前記走行玩具を走行させるための走行盤と、を備え、前記走行盤の盤面には突起が設けられ、この突起の上面は所定方向の傾斜面となっており、前記走行玩具の底面には、前方を前記突起と係合可能に開放した係合部が形成され、前記係合部は、左右のいずれかに偏って少なくとも１つ設けられるとともに、前記走行玩具は、前記係合部の下端位置を前記突起の傾斜面の最低部よりも高くした状態で走行可能であることを特徴とする。
【００１０】
（請求項２）
請求項２に記載の考案は、上記した請求項１記載の考案の特徴点に加え、以下の点を特徴とする。
【００１１】
すなわち、前記走行玩具は左右に車輪を有する２輪走行であり、これらの車輪の回転軸は、左右で異なる偏心位置に設けられていることを特徴とする。
【００１２】
（請求項３）
請求項３に記載の考案は、上記した請求項２記載の考案の特徴点に加え、以下の点を特徴とする。
【００１３】
すなわち、前記走行玩具は、水平状態における重心が前記車輪の回転軸よりも後方に位置するとともに、前記突起に前記係合部が乗り上げることで重心位置が前方に移動して前方に傾動するように形成され、前記走行玩具が前方に傾動したときの前記係合部の下端位置は、前記突起の傾斜面の最高部よりも高いことを特徴とする。
【００１４】
（請求項４）
請求項４に記載の考案は、上記した請求項１〜３のいずれかに記載の考案の特徴点に加え、以下の点を特徴とする。
【００１５】
すなわち、前記突起を、前記走行玩具の車輪の幅よりも小さい所定の間隔で複数配置することで、前記突起で囲まれた領域を形成し、かつ、これらの前記突起は、傾斜面の低い側が前記領域の外側となるように配置されていることを特徴とする。
【００１６】
（請求項５）
請求項５に記載の考案は、上記した請求項１〜４のいずれかに記載の考案の特徴点に加え、以下の点を特徴とする。
【００１７】
すなわち、前記走行盤は、複数の走行盤構成部材を組み合わせて構成することが可能であり、前記突起は、前記複数の走行盤構成部材に対して着脱可能であることを特徴とする。
【００１８】
（請求項６）
請求項６に記載の考案は、上記した請求項１〜５のいずれかに記載の考案の特徴点に加え、以下の点を特徴とする。
【００１９】
すなわち、前記係合部は、前方を開放した溝部を隔壁により左右に分割したものであることを特徴とする。
【考案の効果】
【００２０】
請求項１に記載の考案は上記の通りであり、走行盤の盤面には、上面が傾斜面を形成する突起が設けられ、走行玩具の底面には、前方を前記突起と係合可能に開放した係合部が形成されている。このため、走行玩具が前進して突起の位置まで走行すると、係合部に突起が係合し、走行玩具の前進が阻止される。このとき、前記係合部は、左右のいずれかに偏って設けられているため、この状態で走行玩具が前進しようとすると、係合部と突起との係合箇所を支点にして走行玩具が回転することとなる。
【００２１】
ところで、前記走行玩具は、前記係合部の下端位置を前記突起の傾斜面の最低部よりも高くした状態で走行可能である。すなわち、走行玩具の進行方向手前側に突起の傾斜面の最低部がある状態で走行玩具が走行すると、係合部が突起の傾斜面に乗り上げるように形成されている。このため、走行玩具が突起に引っ掛かって回転し、傾斜面の低い側まで回転すると、突起の傾斜面に乗り上げて突起を乗り越えることができる。
【００２２】
このような構成によれば、突起に突き当たった走行玩具は、それまでの走行方向にかかわらず、突起の傾斜面を登る方向へと誘導されることとなる。すなわち、突起によって走行玩具の動きを規制することができるとともに、基本的に走行玩具の進行は自由であるため、走行玩具の動きをある程度コントロールしつつも、走行玩具を意外性に富んだ動きで走行させることができる。
【００２３】
また、請求項２に記載の考案は上記の通りであり、前記走行玩具は左右に車輪を有する２輪走行であり、これらの車輪の回転軸は、左右で異なる偏心位置に設けられている。このため、車輪が偏心回転し、走行玩具が左右に揺動しつつ走行することとなるため、より意外性に富んだ動きで走行玩具を走行させることができる。
【００２４】
また、走行玩具は上下にも揺動するため、走行玩具が突起に引っ掛かったときの係合部と突起との係合の外れ易さが変化する。すなわち、走行玩具が突起を乗り越えて前進するタイミングが車輪の偏心状態によって左右されるため、より意外性に富んだ動きで走行玩具を走行させることができる。
【００２５】
また、請求項３に記載の考案は上記の通りであり、前記走行玩具は、水平状態における重心が前記車輪の回転軸よりも後方に位置するとともに、前記突起に前記係合部が乗り上げることで重心位置が前方に移動して前方に傾動するように形成されている。このため、通常時においては走行玩具の重心が後方にくるように形成されるとともに、係合部が突起の傾斜面にある程度乗り上げると、この乗り上げた位置を支点として重心が前方に移動し、走行玩具が前方に傾動するようになっている。
【００２６】
そして、前記走行玩具が前方に傾動したときの前記係合部の下端位置は、前記突起の傾斜面の最高部よりも高くなるように形成されているため、係合部が突起の傾斜面にある程度乗り上げることにより走行玩具が前方に傾動すると、走行玩具の後部が持ち上げられて、突起よりも高い位置まで係合部が持ち上げられるので、このまま前進することで突起と係合部との係合が解除される。
【００２７】
なお、突起と係合部との係合が解除された後は、走行玩具が水平状態に戻るので、重心も後方に戻り、係合部が突起と係合可能な高さまで下がることとなる。このような構成によれば、突起と係合部とを確実に係合及び解除させることができる。
【００２８】
また、請求項４に記載の考案は上記の通りであり、前記突起を、前記走行玩具の車輪の幅よりも小さい所定の間隔で複数配置することで、前記突起で囲まれた領域を形成している。このため、走行玩具が走行盤の外に行こうとすると、必ずいずれかの突起に突き当たることとなる。そして、これらの前記突起は、傾斜面の低い側が前記領域の外側となるように配置されているため、これらの突起に突き当たった走行玩具は、これらの突起で囲まれた領域の内側へと導かれるようになっている。すなわち、この領域内で走行玩具が走行するように、走行玩具をコントロールすることができる。
【００２９】
また、請求項５に記載の考案は上記の通りであり、前記走行盤は、複数の走行盤構成部材を組み合わせて構成することが可能であり、前記突起は、前記複数の走行盤構成部材に対して着脱可能である。このため、走行盤構成部材を任意に組み合わせるとともに、当該走行盤構成部材に任意の配置で突起を装着できるので、走行玩具の走行領域を任意に設定して遊ぶことができる。
【００３０】
また、請求項６に記載の考案は上記の通りであり、前記係合部は、前方を開放した溝部を隔壁により左右に分割したものであるため、簡易な構成で上記したような玩具セットを提供できる。
【図面の簡単な説明】
【００３１】
【図１】走行玩具及び走行盤の外観図である。
【図２】走行玩具の内部機構を説明する図であって、正面方向から見た図である。
【図３】走行玩具の側面図である。
【図４】走行玩具の走行状態を示す図である。
【図５】走行玩具の底面図である。
【図６】突起部材の（ａ）斜視図、（ｂ）側面図である。
【図７】走行玩具の車輪の幅と突起の間隔との関係を示す説明図である。
【図８】走行玩具の係合部の高さと突起の傾斜面の高さとの関係を示す説明図である。
【図９】走行玩具が突起に突き当たる様子を示す説明図である。
【図１０】走行玩具が突起の周囲を回転する様子を示す説明図である。
【図１１】走行玩具が突起を乗り越える様子を示す説明図である。
【図１２】複数の走行盤構成部材を組み合わせた状態を示す説明図である。
【考案を実施するための形態】
【００３２】
本考案の実施形態について、図を参照しつつ説明する。
【００３３】
本実施形態に係る走行玩具セットは、図１に示すように、走行玩具１０と、この走行玩具１０を走行させるための走行盤３０と、を備えて構成される。
【００３４】
走行盤３０は１以上の走行盤構成部材３１で構成され、その盤面３０ａには複数の差込孔３２が所定間隔で配置されている。この差込孔３２は、突起部材４０を差し込むためのものであり、この差込孔３２を利用して突起部材４０を着脱可能に形成されている。なお、走行盤構成部材３１の各側面には、他の走行盤構成部材３１と連結するための連結部３３が設けられている。詳しくは、走行盤構成部材３１の各側面には、挟持部３３ａと被挟持部３３ｂとがそれぞれ１つずつ形成されており、２つの走行盤構成部材３１の側面が互いに相対したときに、一方の走行盤構成部材３１に形成された挟持部３３ａと、他方の走行盤構成部材３１に形成された被挟持部３３ｂとが嵌合し、複数の走行盤構成部材３１を連続して連結可能となっている。
【００３５】
走行玩具１０は、図２に示すように、左右に車輪１８，１９を有する２輪走行の玩具であり、本体１１の内部に設けられた駆動機構により自走可能な玩具である。すなわち、図示しないスイッチがオンとなったことを契機として、電池１４を動力源としてモータ１５が回転し、その回転力がギア１６を介して車輪の回転軸１７に伝達され、左右の車輪１８，１９が回転して走行するように形成されている。
【００３６】
ここで、図２及び図３に示すように、本実施形態に係る走行玩具１０の車輪の回転軸１７は、左右の車輪１８，１９の中心位置ではなく、左右で互い違いとなる偏心位置に設けられている。このため、走行玩具１０を走行させると、左右の車輪１８，１９が交互に高くなったり低くなったりするため、図４に示すように、左右に揺動しつつ走行することとなる。
【００３７】
なお、この走行玩具１０は２輪走行であるため、左右の車輪１８，１９だけが接地した状態では安定して走行できない。このため、この走行玩具１０の底面１１ａには、図３及び図５に示すように、後部位置に後支持部１３が形成されている。この後支持部１３は、走行玩具１０の走行時に走行玩具１０の後部を支持するためのものである。すなわち、本実施形態に係る走行玩具１０の重心は、水平な盤面３０ａ上における水平状態において、回転軸１７よりも後方に位置するように形成されている。このため、走行玩具１０は後方に傾くことになるが、この荷重を後支持部１３で受けるようになっている。このため、走行玩具１０は、左右の車輪１８，１９及び後支持部１３で車体を支持しつつ、後支持部１３を引きずりながら走行する。
【００３８】
また、図５に示すように、この走行玩具１０の底面１１ａには、前方を開放した溝部１２が形成されている。この溝部１２は、隔壁１２ｄにより左右に分割される形で、右側に設けられた右溝部１２ｂと、左側に設けられた左溝部１２ｃと、を備えている。この右溝部１２ｂ及び左溝部１２ｃは、それぞれ後述する突起部材４０と係合可能な係合部として設けられている。
【００３９】
突起部材４０は、走行玩具１０の進路を変更させるためのものであり、前述したように、走行盤３０の盤面３０ａに装着可能に形成されている。この突起部材４０は、図６に示すように、盤面３０ａ上の差込孔３２に差し込むための差込軸部４３と、盤面３０ａ上の突起として機能する引掛部４１と、が一体的に形成されたものである。
【００４０】
なお、引掛部４１の上面は最高部４２ａから最低部４２ｂにかけて所定方向の傾斜面４２となっており、これにより走行玩具１０の進行方向をコントロールするように形成されている。この点は後ほど詳述する。
【００４１】
この突起部材４０は、本実施形態においては、図７（ａ）に示すように、走行玩具１０の車輪の幅Ｗ１よりも小さい所定の間隔Ｗ２で複数配置される。そして、この突起部材４０で走行玩具１０の走行領域を囲むことにより、走行玩具１０がこの走行領域の外に行こうとすると、必ずいずれかの突起部材４０に突き当たるようにしている。
【００４２】
言い換えると、本実施形態に係る走行盤構成部材３１には、走行玩具１０の車輪の幅Ｗ１よりも小さい所定の間隔Ｗ２で複数の突起部材４０を配置するとともに、これらの複数の突起部材４０で走行領域を形成できるように、差込孔３２が設けられている。
【００４３】
そして、この突起部材４０の傾斜面４２は、図８に示すように、最高部４２ａが溝部１２の下端位置１２ａよりも高く形成されており、最低部４２ｂが溝部１２の下端位置１２ａよりも低く形成されている。このため、後述するように、走行玩具１０の進行方向手前側に突起部材４０の傾斜面４２の最高部４２ａがあるときには、突起部材４０と溝部１２とが係合するが、走行玩具１０の進行方向手前側に突起部材４０の傾斜面４２の最低部４２ｂがあるときには、突起部材４０と溝部１２とが係合せず、溝部１２が突起部材４０の傾斜面４２に乗り上げるように形成されている。
【００４４】
なお、本実施形態に係る走行玩具１０は揺動しつつ走行するため、溝部１２の高さは変化し、溝部１２の下端位置１２ａも一定ではない。しかしながら、この溝部１２の下端位置１２ａは、変動したとしても、常に傾斜面４２の最高部４２ａよりも低くなっており、これにより、傾斜面４２の最高部４２ａに対していつでも係合可能となっている。すなわち、走行玩具１０の進行方向手前側に突起部材４０の傾斜面４２の最高部４２ａがあるときには、必ず突起部材４０と溝部１２とが係合するように形成されている。
【００４５】
一方、この溝部１２の下端位置１２ａは、傾斜面４２の最低部４２ｂに対しては、傾斜面４２の最低部４２ｂよりも高くなることが可能であればよく、常に傾斜面４２の最低部４２ｂよりも高い位置になければならないわけではない。すなわち、揺動することで溝部１２の下端位置１２ａが傾斜面４２の最低部４２ｂよりも高くなるタイミングがあればよい。これにより、溝部１２が傾斜面４２に乗り上げることが可能となっている。
【００４６】
次に、走行玩具１０が突起部材４０に突き当たったときの動作について具体的に説明する。ここでは、突起部材４０の傾斜面４２の最高部４２ａが、走行玩具１０の進行方向手前側にある場合について説明する。
【００４７】
すなわち、図９に示すように、走行盤３０の盤面３０ａ上を走行する走行玩具１０が、突起部材４０の傾斜面４２の最高部４２ａに突き当たると、この最高部４２ａよりも溝部１２の下端位置１２ａの方が低いため、溝部１２に突起部材４０が引っ掛かり、走行玩具１０の前進が阻止されることとなる。このとき、溝部１２は右溝部１２ｂと左溝部１２ｃとに分割されているため、突起部材４０は右溝部１２ｂ及び左溝部１２ｃのいずれかに係合することとなる。
【００４８】
突起部材４０が右溝部１２ｂ及び左溝部１２ｃのいずれかに係合すると、この右溝部１２ｂ及び左溝部１２ｃが走行玩具１０の左右いずれかに偏っているため、この状態で走行玩具１０が前進しようとすると、突起部材４０との係合箇所を支点にして走行玩具１０が回転することとなる。
【００４９】
例えば、左溝部１２ｃに係合した場合には、図１０に示すように、走行玩具１０は、突起部材４０との係合箇所を回転中心にして下から見て右方向に回転する。なお、特に図示しないが、右溝部１２ｂに係合した場合には、走行玩具１０は、突起部材４０との係合箇所を回転中心にして下から見て左方向に回転することとなる。
【００５０】
そして、走行玩具１０が回転し、走行玩具１０の進行方向手前側に突起部材４０の傾斜面４２の最低部４２ｂ付近がくるまで走行玩具１０が回転すると（図１０（ｅ）参照）、前述したように、溝部１２が突起部材４０の傾斜面４２に乗り上げることとなる。すなわち、図１１に示すように、傾斜面４２の最低部４２ｂよりも溝部１２の下端位置１２ａの方が高いため、走行玩具１０の溝部１２が突起部材４０の傾斜面４２に乗り上げて、突起部材４０を乗り越えて前進しようとする。
【００５１】
このとき、溝部１２における突起部材４０との係合箇所は、水平状態における走行玩具１０の重心位置よりもやや後方にあるため、走行玩具１０の溝部１２が突起部材４０の傾斜面４２に乗り上げると、重心位置が前方に移動することとなる。すると、図１１（ｂ）に示すように、走行玩具１０は前方に傾動し、溝部１２と突起部材４０との係合を解除するように作用する。すなわち、走行玩具１０が前方に傾動することにより、走行玩具１０の後部が持ち上げられると、溝部１２の下端位置１２ａも持ち上げられることとなるが、このとき、溝部１２の下端位置１２ａが突起部材４０の傾斜面４２の最高部４２ａよりも高くなる。このため、このまま走行玩具１０が前進すれば、突起部材４０との係合が解除されることになる。
【００５２】
なお、溝部１２と突起部材４０との係合が解除されると、走行玩具１０は水平な盤面３０ａ上を再び走行することとなるため、重心位置が戻り、図９（ａ）に示すような走行状態へと戻る。
【００５３】
このような走行玩具セットによれば、突起部材４０に突き当たった走行玩具１０は、それまでの走行方向にかかわらず、突起部材４０の周囲を回転し、その後突起部材４０の低くなっている側から突起部材４０を乗り越えるので、突起部材４０の傾斜面４２の設定に従った方向へと誘導されることとなる。
【００５４】
このため、この突起部材４０をどのように配置するか、及び、配置した突起部材４０の傾斜面４２をどの方向に向けるかによって、走行玩具１０の進行方向をある程度制御することができる。
【００５５】
例えば、この突起部材４０で囲むように所定の領域を形成し、かつ、これらの突起部材４０の傾斜面４２の最低部４２ｂがこの所定の領域の外側となるように配置すれば、これらの突起部材４０に突き当たった走行玩具１０はこれらの突起部材４０で囲まれた領域の内側へと導かれるので、この所定の領域内で走行玩具１０が走行するようにコントロールすることができる。
【００５６】
例えば、図１２に示すように、複数の走行盤構成部材３１を組み合わせて走行盤３０を構成し、この走行盤３０の外周に沿うように突起部材４０を取り付けることで、これらの突起部材４０で囲まれた走行玩具１０の走行領域Ａを形成してもよい。このとき、この突起部材４０が走行玩具１０の車輪の幅よりも小さい所定の間隔で配置されており、走行玩具１０がこの突起部材４０で囲まれた領域の外に行こうとすると、必ずいずれかの突起部材４０に突き当たるように形成されていることは、前述したとおりである。そして、走行領域Ａの外側に突起部材４０の傾斜面４２の最低部４２ｂが来るように突起部材４０を取り付ければ、走行玩具１０はいずれの突起部材４０に突き当たった場合でも走行領域Ａの内側へと誘導される。これにより、走行玩具１０が走行領域Ａ内を走行するようにコントロールできる。
【００５７】
なお、突起部材４０の取り付け位置は、本実施形態に限らず、他の位置としてもよい。例えば、走行盤構成部材３１の中央にある差込孔３２に突起部材４０を取り付ければ、この突起部材４０で走行玩具１０の走行方向を変化させることができ、面白味を増すことができる。
【００５８】
以上説明したように、本実施形態に係る走行玩具セットによれば、突起部材４０によって走行玩具１０の動きを規制することができるとともに、基本的に走行玩具１０の進行は自由であるため、走行玩具１０の動きをある程度コントロールしつつも、走行玩具１０を意外性に富んだ動きで走行させることができる。
【００５９】
また、走行玩具１０が左右に揺動しつつ走行するため、より意外性に富んだ動きで走行玩具１０を走行させることができる。
【００６０】
また、走行玩具１０は上下にも揺動するため、走行玩具１０が突起部材４０に引っ掛かったときの溝部１２と突起部材４０との係合の外れ易さが変化することとなる。すなわち、走行玩具１０が突起部材４０を乗り越えて前進するタイミングが車輪１８，１９の偏心状態によって左右されるため、より意外性に富んだ動きで走行玩具１０を走行させることができる。
【００６１】
なお、上記した実施形態においては、突起部材４０が取り外し可能であるとして説明したが、これに限らず、走行盤３０の盤面３０ａに一体的に設けられていてもよい。
【００６２】
また、上記した実施形態においては、２輪走行の走行玩具１０を用いたが、これに限らず、４輪走行等の走行玩具を用いてもよい。同様に車輪の回転軸１７が偏心位置にない走行玩具を用いてもよい。
【符号の説明】
【００６３】
１０  走行玩具
１１  本体
１１ａ  底面
１２  溝部
１２ａ  下端
１２ｂ  右溝部（係合部）
１２ｃ  左溝部（係合部）
１２ｄ  隔壁
１３  後支持部
１４  電池
１５  モータ
１６  ギア
１７  回転軸
１８  右車輪
１９  左車輪
３０  走行盤
３０ａ  盤面
３１  走行盤構成部材
３２  差込孔
３３  連結部
３３ａ  挟持部
３３ｂ  被挟持部
４０  突起部材（突起）
４１  引掛部
４２  傾斜面
４２ａ  最高部
４２ｂ  最低部
４３  差込軸部
Ｗ１  車輪の幅
Ｗ２  突起の間隔
Ｐ  係合部の下端位置
Ｈ１  傾斜面の最高部の高さ
Ｈ２  傾斜面の最低部の高さ
Ａ  走行領域
【図１】
0003164962.tif 000003
【図２】
0003164962.tif 000004
【図３】
0003164962.tif 000005
【図４】
0003164962.tif 000006
【図５】
0003164962.tif 000007
【図６】
0003164962.tif 000008
【図７】
0003164962.tif 000009
【図８】
0003164962.tif 000010
【図９】
0003164962.tif 000011
【図１０】
0003164962.tif 000012
【図１１】
0003164962.tif 000013
【図１２】
0003164962.tif 000014